(57)【要約】【課題】  非侵襲測定により血液流動性を示す指標値と血管抵抗係数値を測定する血液循環状態測定装置を提供する。【解決手段】  本血液循環状態測定装置は、血液の流速と、血圧を用いて、所定の計算を行い血液流動性と血管抵抗係数を算出する。血液の流速は、血流に超音波の連続波を送信し、その反射連続波の周波数の変化量（ドップラーシフト）から求める。一方、血圧は、一般の血圧計などにより測定した値を利用する。血液流動性は以上のようにして取得した値のうち、最大流速、最大血圧を所定の計算式に入力して算出し、血管抵抗係数は血流速度の最大流速と拡張末期の血流速度から求める。本血液循環状態測定装置は、血液流動性と血管抵抗係数との２つの指標を同時に求めることができ、２つの指標による分布を求めることによって、より簡単に、より正確に健康状態を把握することができる。【選択図】  図２
2007111245.tif 000002
【特許請求の範囲】
【請求項１】
人体の血液循環に係わる健康度を測定する血液循環状態測定装置であって、
前記人体の外部から、前記人体の血管中を流れる血液の流速値を計測する流速計測手段と、
前記血管の血圧値を取得する血圧取得手段を有し、取得した前記血圧値と前記流速計測手段により計測した前記流速値とを用いて、前記血液の流動性を示す指標値を算出する血液流動性演算手段と、
前記流速計測手段により計測した前記流速値を用いて、前記血管の血管抵抗係数値を算出する血管抵抗係数演算手段と、
を具備することを特徴とする血液循環状態測定装置。
【請求項２】
前記血液流動性演算手段により算出した前記指標値と、前記血管抵抗係数演算手段により算出した前記血管抵抗係数値とを出力表示する出力部を有することを特徴とする請求項１に記載の血液循環状態測定装置。
【請求項３】
前記血液流動性演算手段は、時間とともに変化する前記流速値のうち、極大値を示す１または複数の前記流速値と、前記血圧取得手段により取得した最高血圧値と、を用いて前記指標値を算出することを特徴とする請求項１または２に記載の血液循環動態測定装置。
【請求項４】
前記血管抵抗係数演算手段は、時間とともに変化する前記流速値のうち、極大値を示す第１の前記流速値と、拡張末期時の第２の前記流速値とを用いて前記血管抵抗係数値を算出することを特徴とする請求項１に記載の血液循環状態測定装置。
【請求項５】
前記流速計測手段は、前記人体の表面から前記血液に対して連続波を送信する送信手段と、前記送信した連続波のうち、前記血液で反射された反射波を受信する受信手段と、該受信手段により受信した２方向からの前記反射波の周波数変化量を用いて前記血液の前記流速値を算出する速度波形演算部と、からなることを特徴とする請求項１〜４のいずれかに記載の血液循環状態測定装置。
【発明の詳細な説明】
【技術分野】
【０００１】
本発明は、血液循環状態測定装置に関し、人体の血液流動性及び血管抵抗係数を非侵襲的に測定するものに関する。
【背景技術】
【０００２】
血液を用いた健康状態の検査は広く行われているが、正確な検査のためには血液成分の数値だけでなく、血液の流れ方、即ち血液のレオロジー（流動性）が重要である。
そして、血液のレオロジーを表す指標の１つには血液の血液流動性があり、一般に「血液のサラサラ度、ドロドロ度」などと呼ばれている。
【０００３】
血液の血液流動性は、人体から採血した血液の粘度を、マイクロ流路を用いた測定装置（例えば、特許文献１）や粘度計測器などで測定することが、従来から行われている。
ところが、このように採血を伴う方法は、実施するのに資格が必要であり、血液の流れやすさを日常的にチェックするのは困難であるという問題があった。
そのため、近年では本出願人による次の特許文献２に示すように、非侵襲で（即ち、生体を切開したり針を刺したりせずに）血液の流速を測定する装置が提案されている。
この技術は、血液に超音波を送信し、その反射波の周波数の変化量から、血液の流速を非侵襲で測定するものである。血液はある方向に流れているので、これに超音波が反射すると、ドップラー効果により反射波の周波数が変化する。この周波数の変化量から血液の流速を求めることができるのである。
【０００４】
また、特許文献１の技術では、異なる２方向に反射される反射波をそれぞれ受信し、これらの反射波の周波数の変化量からセンサと血管の成す角度（血液の流れている方向）を測定することができる。そして、測定した角度を考慮することにより流速をより正確に求めている。そして、測定した血液の流速により血液流動性を推し量ることができる。
【特許文献１】特許第２６８５５４４号公報
【特許文献２】特開２００３−２０４９６４号公報
【発明の開示】
【発明が解決しようとする課題】
【０００５】
ところで、健康状態を把握するためには、一つの情報（例えば血圧）だけでなく、複数の情報による分布を作成することにより、健康状態をより正確に把握できることは容易に推測ができる。しかしながら、無作為に２つの情報を組み合わせても意味がない。例えば、赤血球数と白血球数との分布を作成しても血液循環に関する健康状態の把握には殆ど役に立たない。
【０００６】
研究を進めるうちに、血液流動性と血管抵抗係数を用いて、分布図を作成することにより、血液循環に関する健康状態をより正確に把握することができることがわかった。また、被験者に与える負担を軽減するためには、より簡易な非侵襲での測定装置によって、有用な２つの情報、即ち、血液流動性と血管抵抗係数を求めることが課題となる。
【０００７】
そこで、本発明の目的は、より簡易な非侵襲測定で正確に血液流動性と血管抵抗係数を求められる装置を提供することである。
【課題を解決するための手段】
【０００８】
本発明は、前記目的を達成するために、人体の血液循環に係わる健康度を測定する血液循環状態測定装置であって、前記人体の外部から、前記人体の血管中を流れる血液の流速値を計測する流速計測手段と、前記血管の血圧値を取得する血圧取得手段を有し、取得した前記血圧値と前記流速計測手段により計測した前記流速値とを用いて、前記血液の流動性を示す指標値を算出する血液流動性演算手段と、前記流速計測手段により計測した流速値を用いて、前記血管の血管抵抗係数値を算出する血管抵抗係数演算手段と、を具備することを特徴とする血液循環状態測定装置を提供するものである。
【０００９】
また、本発明に係わる血液循環状態測定装置は、前記血液流動性演算手段により算出した前記指標値と、前記血管抵抗係数演算手段により算出した前記血管抵抗係数値とを出力表示する出力部を有し、好ましくは前記指標値と前記血管抵抗係数値の分布を表示出力することを特徴とするものである。
【発明の効果】
【００１０】
本発明によると、非侵襲にて簡単に血液流動性と血管抵抗係数を測定でき、血液流動性と血管抵抗係数の分布から、より正確に血液循環に関する健康状態を把握することが可能になる。
【発明を実施するための最良の形態】
【００１１】
（実施の形態の概要）
本実施の形態の血液循環状態測定装置は、血液の流速値と血圧値とを用いて所定の計算を行い、血液流動性、及び、血管抵抗係数を算出する。
【００１２】
血液の流速は、血流に超音波の連続波を送信し、その反射連続波の周波数の変化量（ドップラーシフト）から求める。この測定方法は特許文献１で提案されているものを利用する。血圧は、公知の血圧計などにより測定した値を利用する。
【００１３】
血液循環状態測定装置は、以上のようにして取得した値のうち、最大流速、最大血圧を後述の計算式に代入して血液流動性を算出する。ここで、各値の最大値を用いたのは、最大血圧時には、血液の流速も最大になるので、変動するこれらの値のうち対応するものを容易に取得できるからである。
一方、血流速度の時間変化によって得られる波形において、最大流速と拡張末期の血流速度から血管抵抗係数を算出する。ここで拡張末期とは、心臓の拍動の拡張期の終わりであり、血流波形においては、血流速度波形が上昇する直前の時期にあたり、図３では、Ｔ１、Ｔ３，Ｔ５が拡張末期に相当する。
【００１４】
また、本実施の形態の血液循環状態測定装置は、非侵襲で血液流動性を測定することができ、また小型化することができる。そのため、ユーザは、家庭などにおいて日常生活の中で血液の状態を日々確認することができ、手軽に健康管理を行うことかできる。
【００１５】
（実施の形態の詳細）
図１は、血液循環状態測定装置のセンサ部を示した図であり、図１はセンサ部の断面を示しており、センサ部１が装着された皮膚５１、血管５２も図示してある。
【００１６】
センサ部１は、血液の流速をセンシングするセンサであって、例えば、人体の手首、指先、腕などに装着される。より具体的には、例えば、センサ部１をサック状に形成し、ユーザがこれに指先を挿入する構成にする、あるいはセンサ部１をベルトに設置し、このベルトを手首や腕に装着するように構成することができる。
【００１７】
更には、センサ部１や後述する計測システムを腕時計に組み込むことも可能である。この場合、腕時計は時間計測モードと血液循環状態測定計測モードを切り替えることができるようになっており、ユーザは腕時計を装着したまま血液流動性計測モードにて血液流動性の計測を行うことができる。
【００１８】
センサ部１は、基底部１３、送信素子１１１と受信素子１１２から成る超音波センサＡ１１、送信素子１２１と受信素子１２２から成る超音波センサＢ１２などから構成されている。送信素子１１１、１２１は波動送信素子を構成しており、受信素子１１２、１２２は波動受信素子を構成している。
【００１９】
基底部１３は、樹脂などの個体により構成されており、人体に接する方向の面において超音波センサＡ１１、超音波センサＢ１２を所定位置に保持する。
超音波センサＡ１１、超音波センサＢ１２を構成する各素子は何れも圧電素子によって構成されており、超音波の送受信に用いられ、血液の流速の測定に用いられる。
より詳細には、超音波センサＡ１１において、送信素子１１１は超音波の連続波（以下、単に連続波と記す）を生体内５３に送信する。この連続波は、血管５２を流れる血流により反射され、受信素子１１２にて受信される。
【００２０】
反射される連続波の周波数は、血液の流速によるドップラー効果により変化しており、この周波数の変化量（ドップラーシフト）を用いて血液の流速を求めることができる。
同様に、超音波センサＢ１２において、送信素子１２１が送信する連続波は血管５２を流れる血流により反射され受信素子１２２で受信される。
【００２１】
超音波センサＡ１１と超音波センサＢ１２は、基底部１３において所定角度を持って固定されており、血管５２に対して異なる方向から連続波を送信するようになっている。これによって、センサ部１と血管５２の成す角度を計算することができ、より正確に血液の流速を計算することができる。
【００２２】
超音波センサＡ１１と血管５２のなす角度をθとし、超音波センサＡ１１と超音波センサＢ１２のなす角度をαとすし、超音波センサＡ１１で検出された周波数の変化量をΔｆ１、超音波センサＢ１２で検出された周波数の変化量をΔｆ２とすると、これらの変化量は次の式（１）、（２）で与えられる。
【００２３】
【数１】
2007111245.tif 000003
以上の式（１）、（２）において、ｃは生体内５３での音速であり約１５３０［ｍ／ｓ］である。また、Ｆは生体内５３の内部に送信した超音波の周波数であり、ｖは血液の流速である。式（１）、（２）からθは次の式（３）で表される。
【００２４】
【数２】
2007111245.tif 000004
超音波センサＡ１１と超音波センサＢ１２の超音波送受信側の面には整合部が設けられている。整合部は樹脂などの超音波伝達媒体により構成されており、センサ部１と生体内５３とのインピーダンスを調節する音響整合層を構成している。より詳細には、整合部は、送受信素子１０〜送受信素子１２のインピーダンスと生体内５３のインピーダンスの中間程度のインピーダンスを持つ媒体により構成するのが望ましい。
【００２５】
このように、超音波の伝達経路におけるインピーダンスの変化を緩和することにより、センサ部１と生体内５３との間での超音波の反射などを低減することができ、超音波の伝達効率を改善することができる。
【００２６】
次に、図２のブロック図を用いて血液循環状態測定装置のシステム構成について説明する。
図２に示すように、本実施の形態の血液循環状態測定装置は、センサ部１、回路部２、演算部３、出力部４から構成されている。
センサ部１については既に説明したので、ここでは、回路部２、演算部３、出力部４について説明する。
回路部２は、センサ部１を駆動すると共に、センサ部１で検出された信号を演算部３に伝達する機能部であり、発信回路２１、受信回路Ａ２２、受信回路Ｂ２３などから構成されている。
発信回路２１は、送信素子１１１、送信素子１２１と接続しており、これらの素子を駆動して連続波を発生させる。発信回路２１により駆動される連続波の周波数は一般に１０〜２０［ＭＨｚ］程度である。
超音波は、周波数が高くなると分解能が高くなるが、生体内５３に浸透する距離が短くなり、逆に周波数が低くなると生体内５３に浸透する距離が長くなるが分解能が低下するという性質があるため、これらの性質を考慮して適当な周波数が選択される。
受信回路Ａ２２は、受信素子１１２と接続しており、送信素子１１１の出力した連続波の反射連続波を受信して演算部３に出力する。
信回路Ｂ２３は、受信素子１２２と接続しており、送信素子１２１の出力した連続波の反射連続波を受信して演算部３に出力する。
【００２７】
なお、図示しないが、受信素子１１２、１２２と回路部２の間にはそれぞれフィルタが設置されており、対応する送信素子以外の送信素子による反射波が受信されるのを防止してある。
【００２８】
演算部３は、速度波形演算部３１、血液流動性演算部３２、血管抵抗係数演算部３３などから構成されている。
速度波形演算部３１は、受信回路Ａ２２、受信回路Ｂ２３と接続しており、受信素子１１２、１２２で検出された、反射連続波の周波数を取得する。その後、発信回路３１の周波数と比較して、周波数の変化量、即ち式（１）、式（２）におけるΔｆ１、Δｆ２を検出する。これらの値を式（３）に代入することで、θを算出できるので、式（１）、（２）から血液の流速ｖを求めることができ、図３に示す波形を得られる。図３の横軸は時間を、縦軸は血液の流速（血流速度）を示す。ここで、上記センサ部１、回路部２、及び速度波形演算部３１が流速計測手段を構成している。
【００２９】
血液流動性演算部３２は速度波形演算部３１より、血液の流速データを取得し、血圧測定部６から血圧データを取得し、これらのデータを用いて血液流動性を算出する。血液流動性演算部３２は、血液流動性演算手段を構成している。
血圧測定部６は、一般の血圧計などを用いて測定した値をユーザが入力するようになっている。このため、演算部３に数値を入力するためのキーボードなどのユーザインターフェースを備えることができる。又はインターフェースを介して血圧計と接続しても良い。
【００３０】
なお、本実施の形態では、後述するように最高血圧を用いて血液流動性を算出するように構成されているため、血圧データとして少なくとも最高血圧が入力されるようになっている。このように血液流動性演算部３２は上記のような血圧取得手段も備えている。
図３に示すように、速度波形演算部３１で検出される流速は心臓の心拍に伴って上下し拍動している。
【００３１】
血液流動性演算部３２は、速度波形演算部３１から取得した流速データから流速の最大値Ｖｍａｘを取得する。Ｖｍａｘを取得するための流速の最大値は、検出された最大値のうちの何れでも良い。なお、流速データから最大流速を抽出し、これを平均してＶｍａｘとしても良い。
【００３２】
血流速度がＶｍａｘとなるときの血圧は最大血圧であると考えられるので、血液流動性演算部３２は、血圧測定６による最大血圧を取得して、これをＶｍａｘ取得時の血圧Ｐｍａｘとする。
【００３３】
なお、本実施の形態では、流速の測定と、血圧の測定と、を別々に行うため、血圧測定による流速の変化を考慮する必要はない。
血圧の測定は、腕を圧迫するなどして血流に変化を生じさせるため、このように、血圧の測定と、流速の測定とを時間差をおいて行うのが望ましい。
【００３４】
血液流動性演算部３２は、このようにしてＶｍａｘ、及びＰｍａｘを取得すると、これを次の式（４）に代入して血液の流動性Ηを算出する。
【００３５】
【数３】
2007111245.tif 000005
なお、式（４）の血液流動性計算では、流速、血圧の最大値を用いたが、これは、最大値を用いると値対応する流速、血圧の値の取得が容易であるためである。即ち、流速が最大なるときに、血圧も最大になると考えられるため、流速最大値における血圧を最大血圧とすることができる。式（４）は、これら最大値でなくても一般に成り立つ式であり、ある流速における血圧がわかる場合は、これらを式（４）に代入して血液流動性を求めることができる。
【００３６】
血管抵抗係数演算部３３は、速度波形演算部３１より、血液の流速データを取得し、最大血流速度Ｖｍａｘと拡張末期の血流速度Ｖｍｉｎを式（５）に代入して血管抵抗係数ＲＩを算出する。なお、この血管抵抗係数演算部３３は血管抵抗係数演算手段を構成している。
【００３７】
【数４】
2007111245.tif 000006
演算部３は、以上のようにして血液流動性、血管抵抗係数を算出するために、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などのハードウェアを備えている。
ＣＰＵは中央処理装置であって、ＲＯＭ、ＲＡＭ、ＥＥＰＲＯＭなどに記憶されているプログラムに従って、各種の演算処理、演算部３全体の制御、回路部２や出力部４とのデータの送受信の制御などを行う。
【００３８】
ＲＯＭは、演算部３を機能させるための基本的にパラメータやプログラムなどを記憶した読み出し専用の記憶媒体である。ＣＰＵは、これらのパラメータやプログラムを用いて、血液循環状態測定装置の起動時にこれを初期状態に設定するなどする。
ＲＡＭは随時読み出し書き込みが可能な記憶媒体である。ＲＡＭは、例えば、ＣＰＵが血液流動性、血管抵抗係数を算出する際に、受信回路２２、受信回路２３、血圧測定部６などから取得してデータを記憶するためのエリアを提供したり、また、これらのエリアに記憶されたデータを用いて血液流動性、血管抵抗係数を算出する際のワーキングエリアを提供する。
【００３９】
ＥＥＰＲＯＭは、電気的な操作によって、後からデータを書き換えたり消去したりすることが可能なＲＯＭである。
本実施の形態では、ＥＥＰＲＯＭには、演算部３を機能させるための基本的なプログラムであるＯＳ（Ｏｐｅｒａｔｉｎｇ  Ｓｙｓｔｅｍ）や、血液流動性、血管抵抗係数を算出するための算出プログラムなどが記憶されている。
ＣＰＵは、算出プログラムを実行することにより、速度波形演算部３１、血液流動性演算部３２、血管抵抗係数演算部３３などの各機能部がソフトウェア的に構成される。
また、演算部３に、ハードディスクなどの大容量の記憶媒体を備え、ユーザの日々の血液流動性を蓄積するように構成することもできる。
【００４０】
更に、演算部３に、入出力インターフェースを備え、血液流動性データ、血管抵抗係数データを外部のコンピュータなどに出力したり、あるいは、外部からデータやプログラムを読み込むように構成することもできる。
また、フレキシブルディスク、光磁気ディスク、半導体メモリなどで構成された外部記憶媒体を駆動する記憶媒体駆動装置を演算部３に備え、血液流動性データ、血管抵抗係数データをこれらの外部記憶媒体に書き込んだり、あるいは、外部記憶媒体に書き込まれたデータやプログラムを読み込んだりできるように構成することもできる。
【００４１】
以上は、演算部３のハードウェア的な構成の一例であって、これは演算部３の構成を限定するものではなく、速度波形演算部３１、血液流動性演算部３２、血管抵抗係数演算部３３を形成するものであれはどのようなものでも良い。
【００４２】
また、センサ部１の出力はアナログデータであり、演算部３で処理するデータはデジタルデータであるので、何れかの段階でアナログデータをサンプリングしてデジタルデータに変換する必要があるが、これは、回路部２で行うように構成しても良いし、あるいは演算部３で行うように構成しても良い。
次に出力部４について説明する。出力部４は、図示しないが結果表示部を備えており、血液流動性演算部３２、血管抵抗係数演算部３３から出力されたデータを表示する。
【００４３】
表示装置は、例えば、液晶ディスプレイ、プラズマディスプレイ、ＣＲＴディスプレイなどで構成されており、血液流動性の値や血管抵抗係数の値を数値で表示する。また、血液流動性の値や血管抵抗係数の値を図４に示すグラフなどを用いて表示することも可能である。
【００４４】
図４は横軸に血管抵抗係数を、縦軸は血液流動性を示す。図４において、血管抵抗係数は右になるほど血液が血管内部で受ける抵抗の大きさが大きい状態であり、血液流動性は下に行くほど、流動性が悪い状態であることを示す。血液の循環は、血液の流れやすさと、血管の硬さによって血栓などの障害を発生すると考えられるので、図４において、なるべく左上にマークされるほうが血液循環の状態はよいと考えられる。この分布では、右下にプロットされている２人の被験者は血液の循環がよくないと把握できる。この被験者たちを黒点で表すと図５のようになり、血液の循環が良いと思われる群と、血液の循環が悪いと思われる群がわかれるので、より簡易に血液循環の状態を把握できる。
【００４５】
以上、本実施の形態について説明したが、これにより次のような効果を得ることができる。
（１）非侵襲にて血液流動性と血管抵抗係数を測定することができる。
（２）血液流動性と血管抵抗係数と２つの指標から血液循環の健康状態を把握するので、より正確な血液循環の健康状態を把握することができる。
（３）センサ部１、回路部２、演算部３、出力部４の何れも小型化が可能なため、ユーザが家庭などに設置して手軽に血液流動性と血管抵抗係数を測定することができる。
【００４６】
また、本実施の形態では、血液の流速を計測するのに超音波を用いたが、これは計測用の波動を超音波に限定するものではなく、例えば、レーザなど他の波動を用いて計測を行うことも可能である。
【図面の簡単な説明】
【００４７】
【図１】本発明に係わる血液循環状態測定装置のセンサ部を模式的に示す図である。
【図２】本発明に係わる血液循環状態測定装置の構成を説明するためのブロック図である。
【図３】本発明に係わる血液循環状態測定装置によって得られる血流速度波形を示す図である。
【図４】血液流動性と血管抵抗係数の分布例を示す図である。
【図５】血液流動性と血管抵抗係数の分布例で健康群と非健康群を明確に示す図である。
【符号の説明】
【００４８】
１      センサ部
１１    超音波センサＡ
１１１  発信素子
１１２  受信素子
１２    超音波センサＢ
１２１  発信素子
１２２  受信素子
１３    基底部
２      回路部
２１    発信回路
２２    受信回路Ａ
２３    受信回路Ｂ
３      演算部
３１    速度波形演算部
３２    血液流動性演算部
３３    血管抵抗係数演算部
４      出力部
５１    皮膚
５２    血管
５３    生体内
６      血圧測定部
【図１】
2007111245.tif 000007
【図２】
2007111245.tif 000008
【図３】
2007111245.tif 000009
【図４】
2007111245.tif 000010
【図５】
2007111245.tif 000011